(57)【要約】【課題】ある給紙手段で用紙を給紙しての印刷中でも、その給紙手段より高速給紙が可能な給紙手段が使用可能になった場合には、高速給紙が可能な給紙手段に切り替えて印刷を継続し印刷終了までの時間を短縮化する。【解決手段】複数の給紙手段２〜５を備えた印刷装置であって、印刷装置本体１と、複数の給紙手段２〜５それぞれに設けられた用紙有無検出センサ７及び用紙サイズ検出センサ８とを有し、印刷装置本体１の印刷制御部１１は、給紙手段２〜５それぞれの給紙速度を予め記憶しておき、指定されたサイズの用紙を収容した複数の給紙手段２〜５から連続給紙中、用紙有無検出センサ７及び用紙サイズ検出センサ８からの検出出力に基づいて、指定されたサイズの用紙を収容した給紙手段２〜５が複数ある場合は、その複数の給紙手段２〜５の中で最も給紙速度の速い給紙手段から用紙を給紙させて印刷実行部１７に印刷させるよう制御する。【選択図】      図２
2014129152.tif 000002
【特許請求の範囲】
【請求項１】
複数の給紙手段を備えた印刷装置であって、
前記複数の給紙手段それぞれに設けられ、各給紙手段に収容された用紙の有無を検出する用紙有無検出手段と、
前記複数の給紙手段それぞれに設けられ、各給紙手段に収容された用紙のサイズを検出する用紙サイズ検出手段と、
前記複数の給紙手段のいずれから用紙を給紙されて印刷を行う印刷実行手段と、
前記印刷実行手段における印刷の制御を行う印刷制御手段とを有し、
前記印刷制御手段は、前記複数の給紙手段それぞれの給紙速度を予め記憶しており、指定されたサイズの用紙を収容した複数の給紙手段からの連続給紙の場合に、前記用紙有無検出手段および前記用紙サイズ検出手段からの検出出力に基づいて、前記指定されたサイズの用紙を収容した給紙手段が複数あると判定した場合に、前記複数の給紙手段の中で最も給紙速度の速い給紙手段から用紙を給紙させて前記印刷実行手段に印刷させるよう制御する
ことを特徴とする印刷装置。
【請求項２】
前記印刷制御手段は、
前記用紙有無検出手段および前記用紙サイズ検出手段からの検出出力に基づいて、前記指定されたサイズの用紙が給紙手段に補給されたと判定した場合に、前記補給された給紙手段を含む前記指定されたサイズの用紙を収容した給紙手段の中で最も給紙速度の速い給紙手段から用紙を給紙させて前記印刷実行手段に印刷させるよう制御する
ことを特徴とする請求項１記載の印刷装置。
【請求項３】
前記印刷制御手段は、
使用可能な給紙手段が存在せず、印刷の一時停止中に、前記用紙有無検出手段および前記用紙サイズ検出手段からの検出出力に基づいて、前記指定されたサイズの用紙が複数の給紙手段に補給されたと判定した場合に、前記指定されたサイズの用紙を収容した給紙手段の中で最も給紙速度の速い給紙手段から用紙を給紙させて印刷実行手段に印刷させるよう制御する
ことを特徴とする請求項１又は２に記載の印刷装置。
【請求項４】
複数の給紙手段を備えた印刷装置であって、
前記複数の給紙手段それぞれに設けられ、各給紙手段に収容された用紙の有無を検出する用紙有無検出手段と、
前記複数の給紙手段それぞれに設けられ、各給紙手段に収容された用紙のサイズを検出する用紙サイズ検出手段と、
前記複数の給紙手段のいずれから用紙を給紙されて印刷を行う印刷実行手段と、
前記印刷実行手段における印刷の制御を行う印刷制御手段とを有し、
前記印刷制御手段は、前記複数の給紙手段それぞれの給紙速度を予め記憶しており、指定されたサイズの用紙を収容した複数の給紙手段からの連続給紙中に用紙切れが発生した場合、用紙切れが発生した給紙手段を記憶すると共に、前記用紙有無検出手段および前記用紙サイズ検出手段からの検出出力に基づいて、前記指定されたサイズと同じサイズの用紙が給紙可能な給紙手段の中で、最も給紙速度の速い給紙手段から用紙を給紙させて前記印刷実行手段に印刷させるよう制御する一方、
前記指定されたサイズの用紙を収容した給紙手段からの給紙で印刷中、用紙切れが発生して記憶した給紙手段に前記指定したサイズの用紙が補給された場合、前記補給された給紙手段を含む前記指定されたサイズの用紙を収容した給紙手段の中で最も給紙速度の速い給紙手段から用紙を給紙させて前記印刷実行手段に印刷させるよう制御する
ことを特徴とする印刷装置。
【請求項５】
前記印刷制御手段は、
使用可能な給紙手段が存在せず、印刷の一時停止中に、用紙切れが発生して記憶した給紙手段に前記指定したサイズの用紙が補給された場合、前記補給された給紙手段を含む前記指定されたサイズの用紙を収容した給紙手段の中で最も給紙速度の速い給紙手段から用紙を給紙させて前記印刷実行手段に印刷させるよう制御する
ことを特徴とする請求項４に記載の印刷装置。
【発明の詳細な説明】
【技術分野】
【０００１】
本発明は、複数の給紙手段を備えた印刷装置に関する。
【背景技術】
【０００２】
複数の給紙手段を備えた印刷装置では、あるサイズの用紙の印刷中に印刷切れが発生した場合、同一サイズの用紙が収容されている他の給紙手段を検索し、同一サイズの用紙が収容されている他の給紙手段があった場合には、その給紙手段に切り替えて印刷を継続する装置が提案されている（例えば、特許文献１〜４参照。）。なお、他の給紙手段に同一のサイズの用紙が収容されていても、用紙の格納方向が９０度異なり、給紙方向が異なる場合には、印刷方向を変更している。
【先行技術文献】
【特許文献】
【０００３】
【特許文献１】特開平８−３２７９２号公報
【特許文献２】特開平８−２２１２３０号公報
【特許文献３】特開平９−１２７７４２号公報
【特許文献４】特開平１０−１２０９７２号公報
【発明の概要】
【発明が解決しようとする課題】
【０００４】
しかしながら、上述の特許文献１〜４に記載の印刷装置では、現在給紙中の給紙手段で用紙切れが発生した時に、初めて給紙手段の切り替えを行うため、給紙速度が遅い給紙手段からの給紙で印刷を行っている際に、給紙速度が速い給紙手段に同一サイズの用紙が補給されて使用可能になった場合においても、そのまま給紙速度が遅い給紙手段で印刷が継続されてしまい、印刷終了までに時間がかかるという問題があった。
【０００５】
また、上述の特許文献１〜４に記載の印刷装置では、現在給紙中の給紙手段で用紙切れが発生した場合、用紙の給紙速度にかかわらず、同一サイズの用紙を収容した他の給紙手段に切り替えて印刷を継続することを提案しているため、同一サイズの用紙を収容した他の給紙手段が複数あった場合、給紙速度が速い他の給紙手段が選択させずに、給紙速度が遅い方の給紙手段が選択されることがあり、印刷終了までに時間がかかるという問題があった。
【０００６】
本発明は、上記課題に鑑みてなされたものであり、複数の給紙手段を備えた印刷装置において、ある給紙手段で用紙を給紙しての印刷中でも、その給紙手段より高速給紙が可能な給紙手段が使用可能になった場合には、高速給紙が可能な給紙手段に切り替えて印刷を継続し印刷終了までの時間を短縮化することができる印刷装置を提供することにある。
【課題を解決するための手段】
【０００７】
上記目的を達成するため、本発明に係る印刷装置の第１の特徴は、複数の給紙手段を備えた印刷装置であって、前記複数の給紙手段それぞれに設けられ、各給紙手段に収容された用紙の有無を検出する用紙有無検出手段と、前記複数の給紙手段それぞれに設けられ、各給紙手段に収容された用紙のサイズを検出する用紙サイズ検出手段と、前記複数の給紙手段のいずれから用紙を給紙されて印刷を行う印刷実行手段と、前記印刷実行手段における印刷の制御を行う印刷制御手段とを有し、前記印刷制御手段は、前記複数の給紙手段それぞれの給紙速度を予め記憶しており、指定されたサイズの用紙を収容した複数の給紙手段からの連続給紙の場合に、前記用紙有無検出手段および前記用紙サイズ検出手段からの検出出力に基づいて、前記指定されたサイズの用紙を収容した給紙手段が複数あると判定した場合に、前記複数の給紙手段の中で最も給紙速度の速い給紙手段から用紙を給紙させて前記印刷実行手段に印刷させるよう制御することにある。
【０００８】
本発明に係る印刷装置の第２の特徴は、前記印刷制御手段は、前記用紙有無検出手段および前記用紙サイズ検出手段からの検出出力に基づいて、前記指定されたサイズの用紙が給紙手段に補給されたと判定した場合に、前記補給された給紙手段を含む前記指定されたサイズの用紙を収容した給紙手段の中で最も給紙速度の速い給紙手段から用紙を給紙させて前記印刷実行手段に印刷させるよう制御することにある。
【０００９】
本発明に係る印刷装置の第３の特徴は、前記印刷制御手段は、使用可能な給紙手段が存在せず、印刷の一時停止中に、前記用紙有無検出手段および前記用紙サイズ検出手段からの検出出力に基づいて、前記指定されたサイズの用紙が複数の給紙手段に補給されたと判定した場合に、前記指定されたサイズの用紙を収容した給紙手段の中で最も給紙速度の速い給紙手段から用紙を給紙させて印刷実行手段に印刷させるよう制御することにある。
【００１０】
本発明に係る印刷装置の第４の特徴は、複数の給紙手段を備えた印刷装置であって、前記複数の給紙手段それぞれに設けられ、各給紙手段に収容された用紙の有無を検出する用紙有無検出手段と、前記複数の給紙手段それぞれに設けられ、各給紙手段に収容された用紙のサイズを検出する用紙サイズ検出手段と、前記複数の給紙手段のいずれから用紙を給紙されて印刷を行う印刷実行手段と、前記印刷実行手段における印刷の制御を行う印刷制御手段とを有し、前記印刷制御手段は、前記複数の給紙手段それぞれの給紙速度を予め記憶しており、指定されたサイズの用紙を収容した複数の給紙手段からの連続給紙中に用紙切れが発生した場合、用紙切れが発生した給紙手段を記憶すると共に、前記用紙有無検出手段および前記用紙サイズ検出手段からの検出出力に基づいて、前記指定されたサイズと同じサイズの用紙が給紙可能な給紙手段の中で、最も給紙速度の速い給紙手段から用紙を給紙させて前記印刷実行手段に印刷させるよう制御する一方、前記指定されたサイズの用紙を収容した給紙手段からの給紙で印刷中、用紙切れが発生して記憶した給紙手段に前記指定したサイズの用紙が補給された場合、前記補給された給紙手段を含む前記指定されたサイズの用紙を収容した給紙手段の中で最も給紙速度の速い給紙手段から用紙を給紙させて前記印刷実行手段に印刷させるよう制御することにある。
【００１１】
本発明に係る印刷装置の第５の特徴は、前記印刷制御手段は、使用可能な給紙手段が存在せず、印刷の一時停止中に、用紙切れが発生して記憶した給紙手段に前記指定したサイズの用紙が補給された場合、前記補給された給紙手段を含む前記指定されたサイズの用紙を収容した給紙手段の中で最も給紙速度の速い給紙手段から用紙を給紙させて前記印刷実行手段に印刷させるよう制御することにある。
【発明の効果】
【００１２】
本発明に係る印刷装置の第１の特徴によれば、ある給紙手段からの給紙で印刷中であっても、指定されたサイズの用紙を収容した給紙手段が複数ある場合は、その複数の給紙手段の中で最も給紙速度の速い給紙手段から用紙を給紙させて印刷するため、印刷終了までの時間を短縮化することができる。
【００１３】
本発明に係る印刷装置の第２の特徴によれば、ある給紙手段からの給紙で印刷中であっても、用紙が給紙手段に補給された際に、補給された給紙手段を含む使用可能な給紙手段が複数ある場合、その給紙手段の中で最も給紙速度の速い給紙手段から用紙を給紙させて印刷するため、印刷中であっても、指定したサイズの用紙がより高速の給紙手段に補給された場合には、その高速の給紙手段に切り替わることになり、印刷終了までの時間をなるべく短縮化することができる。
【００１４】
本発明に係る印刷装置の第３の特徴によれば、使用可能な給紙手段が存在せず、印刷の一時停止中に、指定されたサイズの用紙が複数の給紙手段に補給された場合、指定されたサイズの用紙を収容した給紙手段の中で最も給紙速度の速い給紙手段から用紙を給紙させて印刷するため、印刷の一時停止後において印刷が再開された場合でも、印刷終了までの時間をなるべく短縮化することができる。
【００１５】
本発明に係る印刷装置の第４の特徴によれば、ユーザによって指定されたサイズの用紙を収容した複数の給紙手段からの連続給紙で印刷中、その給紙手段で用紙切れが発生した場合、用紙切れが発生した給紙手段を記憶すると共に、指定されたサイズと同じサイズの用紙が給紙可能な給紙手段の中で、最も給紙速度の速い給紙手段から用紙を給紙させて印刷する一方、指定されたサイズの用紙を収容した給紙手段からの給紙で印刷中、用紙切れが発生して記憶した給紙手段に指定したサイズの用紙が補給された場合、補給された給紙手段を含む指定されたサイズの用紙を収容した給紙手段の中で最も給紙速度の速い給紙手段から用紙を給紙させて印刷実行手段に印刷させるため、給紙手段の台数が増加した場合でも、全ての給紙手段における用紙の補給状況などを確認する必要がなく、用紙切れが発生した給紙手段のみ用紙の補給状況を確認すれば良いので、給紙手段の監視負担を軽減した上で印刷終了までの時間をなるべく短縮化することができる。
【００１６】
本発明に係る印刷装置の第５の特徴によれば、使用可能な給紙手段が存在せず、印刷の一時停止中に、用紙切れが発生して記憶した給紙手段に指定したサイズの用紙が補給された場合、補給された給紙手段を含む指定されたサイズの用紙を収容した給紙手段の中で最も給紙速度の速い給紙手段から用紙を給紙させて印刷実行手段に印刷させるため、印刷の一時停止後において印刷が再開された場合でも、印刷終了までの時間をなるべく短縮化することができる。
【図面の簡単な説明】
【００１７】
【図１】本発明の実施形態１である印刷装置の外観を簡略化して示す構成図である。
【図２】本発明の実施形態１である印刷装置の印刷装置本体の構成を例を示すブロック図である。
【図３】本発明の実施形態１である印刷装置におけるオート印刷処理の処理を示したフローチャートである。
【図４】本発明の実施形態２である印刷装置におけるオート印刷処理の処理を示したフローチャートである。
【図５】本発明の実施形態３である印刷装置におけるオート印刷処理の処理を示したフローチャートである。
【図６】本発明の実施形態４である印刷装置におけるオート印刷処理の処理を示したフローチャートである。
【発明を実施するための形態】
【００１８】
以下、本発明の実施形態１〜４に係る印刷装置を、図面を参照しながら詳細に説明する。
【００１９】
（実施形態１）
図１は、本発明の実施形態１である印刷装置の外観の例を示す図である。図１に示すように、この印刷装置は、印刷装置本体１と、第１の給紙手段として３台の給紙トレイ３〜５と、第２の給紙手段として給紙ユニット２と、排紙台６と、給紙ユニット２および３台の給紙トレイ３〜５それぞれの給紙手段毎に設けられ、それぞれに収容された用紙の有無を検出する用紙有無検出センサ７と、同様に給紙手段毎に設けられ、それぞれに収容された用紙のサイズを検出する用紙サイズ検出センサ８とを有している。なお、図示はしないが、給紙手段である給紙ユニット２および３台の給紙トレイ３〜５にさらに故障検出センサ等が設けられていて、各給紙手段の故障の有無を検出して各給紙手段が使用可能な否かを検出できるようにしても良いが、ここでは、各給紙手段は、全て故障してなく、正常動作可能なものとして説明する。
【００２０】
ここで、第２の給紙手段である給紙ユニット２は、第１の給紙手段である３台の給紙トレイ３〜５よりも大量に所定サイズの用紙を収容可能である。またこの給紙ユニット２は、図１に示すように印刷装置本体１の印刷実行部１７（図２参照）までの用紙の搬送距離が３台の給紙トレイ３〜５よりも短く、かつ、直線的な給紙経路２ａを介して印刷実行部１７（図２参照）に対し、連続的に給紙（連続給紙）を行うため、３台の給紙トレイ３〜５それぞれの給紙速度より速い給紙速度で給紙する。
【００２１】
これに対し、３台の給紙トレイ３〜５は、それぞれ同じ機構で構成されているものの、図１に示すようにそれぞれ湾曲した給紙経路３ａ〜５ａを介して、連絡的に給紙（連続給紙）を行い、しかも印刷装置本体１の印刷実行部１７（図２参照。）までの用紙の搬送距離が給紙トレイ３、給紙トレイ４、給紙トレイ５の順で短いため、給紙トレイ３、給紙トレイ４、給紙トレイ５の順で給紙速度が速いものとする。従って、給紙ユニット２および３台の給紙トレイ３〜５の給紙速度の速い順は、給紙ユニット２→給紙トレイ３→給紙トレイ４→給紙トレイ５となる。なお、本実施形態の説明では、給紙ユニット２および３台の給紙トレイ３〜５に、Ａ４サイズ等の同一サイズの用紙が収容されているものとして説明する。また、本発明の実施形態１では、第１の給紙手段である３台の給紙トレイ３〜５は湾曲した給紙経路３ａ〜５ａを介して給紙を実行するのに対し、第２の給紙手段である給紙ユニット２は直線的な給紙経路２ａを介して給紙を実行すれば十分であり、用紙の収容量の大小は問題としない。
【００２２】
図２は、本発明の実施形態１である印刷装置の印刷装置本体１の構成例を示すブロック図である。
【００２３】
図２に示すように、印刷装置本体１は、ＣＰＵ、メモリ等を有するメイン制御部１０を備えており、ＣＰＵがメモリに格納されたプログラムにしたがって動作すること等で印刷制御部１１、駆動制御部１２が構成される。また、メモリの一部は印刷データ格納部１３として機能する。なお、メイン制御部１０には、給紙手段毎に設けられた用紙有無検出センサ７および用紙サイズ検出センサ８と接続されている。
【００２４】
また、印刷装置本体１は、操作パネルや表示部１５等を介して印刷条件の設定等を受け付ける操作受付部１４と、印刷装置に関する情報を表示する表示部１５と、コンピュータネットワーク等に接続するための通信処理部１６と、図示しない印字ヘッド等の印刷機構で構成され、用紙に対し印刷を行う印刷実行部１７と、図示しない駆動ローラ、搬送ベルト、切替機構等で構成され、印刷装置本体１内で用紙を搬送させる搬送駆動部１８等を備えている。
【００２５】
そして、印刷制御部１１は、通信処理部１６を介して図示しないホストコンピュータやパーソナルコンピュータから受信した印刷データを印刷データ格納部１３に記憶し、その印刷データにしたがってテキストデータや図表データ等を生成して印刷実行部１７における印刷処理を制御する。また、印刷制御部１１は、予め給紙ユニット２および３台の給紙トレイ３〜５の給紙速度あるいは給紙速度の順位を記憶しているものとする。駆動制御部１２は、印刷制御部１１の制御の下、搬送駆動部１８を制御する。搬送駆動部１８は、駆動制御部１２の制御によって、給紙ユニット２および３台の給紙トレイ３〜５から印刷実行部１７までの用紙の搬送や、印刷実行部１７から排紙台６までの印刷処理後の印刷用紙の搬送を行う。
【００２６】
次に、本発明の実施形態１である印刷装置の特徴である給紙手段を自動的に切り替えて印刷を行うオート印刷処理について説明する。
【００２７】
図３は、本発明の実施形態１である印刷装におけるオート印刷処理を示したフローチャートである。
【００２８】
図３に示すように、まず、ユーザが図示しないネットワークを介して接続されたホストコンピュータやパーソナルコンピュータからの印刷設定や、印刷装置の操作受付部１４や表示部１５において給紙手段を自動的に切り替えて印刷を行うオート印刷処理が設定され（ステップＳ１００；ＹＥＳ）、ホストコンピュータ等から通信処理部１６を介し印刷データを受信することで開始する（ステップＳ１０１）。ホストコンピュータ等から送られる印刷データには、用紙に印刷されるテキストデータや図表データ以外に、印刷する用紙のサイズを指定するサイズデータ、さらには片面印刷や両面印刷等の印刷書式データ等が含まれている。なお、ユーザによってオート印刷処理が設定されていない場合には、給紙手段を自動切換えしない通常の印刷を行う（ステップＳ１５０）。また、ユーザの設定にかかわらず、常に、このオート印刷処理を実行する場合には、ステップＳ１００の処理は省略できる。このことは、後述する他の実施形態２，３でも同様である。
【００２９】
ステップＳ１００において、オート印刷処理が設定された場合（ＹＥＳの場合）、ホストコンピュータ等から印刷データを受信すると（ステップＳ１０１）、印刷制御部１１は、給紙ユニット２および３台の給紙トレイ３〜５それぞれに設けられた用紙有無検出センサ７および用紙サイズ検出センサ８の検出信号に基づいて、使用可能な給紙手段、すなわちユーザが指定したサイズの用紙を収容した給紙手段で、その用紙を給紙可能な給紙手段が存在するか否かを判定する（ステップＳ１０２）。
【００３０】
ステップＳ１０２において、使用可能な給紙手段が存在しないと判定した場合（ＮＯの場合）、ユーザが指定したサイズの用紙が全ての給紙手段で用紙切れということなので、印刷制御部１１は、その用紙が補給されるまで（ステップＳ１０４：ＮＯ）、印刷実行部１７に対し印刷停止の制御信号を送り、印刷を一時停止させる（ステップＳ１０３）。そして、用紙有無検出センサ７および用紙サイズ検出センサ８の検出信号に基づいて用紙が補給されたと判定した場合（ステップＳ１０４：ＹＥＳ）、再度、使用可能な給紙手段が存在するか否かを判定する（ステップＳ１０２）。
【００３１】
一方、ステップＳ１０２において、使用可能な給紙手段が存在すると判定した場合（ＹＥＳの場合）、印刷制御部１１は、続いて用紙有無検出センサ７および用紙サイズ検出センサ８の検出信号に基づいて、その使用可能な給紙手段は、複数存在するのか否かを判定する（ステップＳ１０５）。
【００３２】
ステップＳ１０５において、使用可能な給紙手段、すなわちユーザが指定したサイズの用紙を収容した給紙手段が１台のみであると判定した場合には（ＮＯの場合）、その給紙手段を選択する（ステップＳ１０６）。
【００３３】
一方、ステップＳ１０５において、使用可能な給紙手段、すなわちユーザが指定したサイズの用紙を収容した給紙手段が複数あると判定した場合（ＹＥＳの場合）、印刷制御部１１は、予め記憶しておいた給紙手段、すなわち給紙ユニット２および３台の給紙トレイ３〜５の給紙速度あるいは給紙速度の順位に基づいて、使用可能な給紙手段の内で、最も給紙速度が速い給紙手段を選択する（ステップＳ１０７）。ここで、給紙ユニット２および３台の給紙トレイ３〜５の全てにユーザが指定したサイズの用紙が収容されていて、給紙可能な状態にある場合は、給紙ユニット２→給紙トレイ３→給紙トレイ４→給紙トレイ５の順で給紙手段を選択することになる。
【００３４】
このように印刷制御部１１は、ステップＳ１０６またはステップＳ１０７の処理によって選択した給紙手段からユーザが指定したサイズの用紙を給紙させ、駆動制御部１２の制御の下、搬送駆動部１８によって印刷実行部１７まで搬送させると共に、印刷実行部１７に対し印刷開始制御信号や印刷データを送って印刷を実行させる（ステップＳ１０８）。そして、印刷制御部１１は、印刷が終了したと判定すると（ステップＳ１０９：ＹＥＳ）、印刷処理を終了する。
【００３５】
その一方、印刷が終了する前に（ステップＳ１０９：ＮＯ）、用紙切れが発生した場合（ステップＳ１１０：ＹＥＳ）、ステップＳ１０２に処理を移行し、再度、他に使用可能な給紙手段が存在するか否かを判定して、ステップＳ１０２以降の処理を行う。
【００３６】
また、印刷が終了せず（ステップＳ１０９：ＮＯ）、用紙切れも発生せずに（ステップＳ１１０：ＮＯ）、所定時間経過しない間（ステップＳ１１１：ＮＯ）、印刷制御部１１は、印刷実行部１７に対し印刷の実行を継続させる（ステップＳ１０８）。ここで、印刷制御部１１は、所定時間として、例えば、１秒や、５秒や３０秒の短時間でも、１分、５分、１０分の長時間でも、ユーが希望する任意の時間を設定できる。また、ステップＳ１１０とステップＳ１１１の順番は、逆でも良い。
【００３７】
これに対し、印刷が終了せず（ステップＳ１０９：ＮＯ）、用紙切れも発生せずに（ステップＳ１１０：ＮＯ）、例えば、１秒や５秒等の設定しておいた所定時間を経過した場合も（ステップＳ１１１：ＹＥＳ）、用紙切れが発生した場合（ステップＳ１１０：ＹＥＳ）と同様に、ステップＳ１０２の処理に戻って、再度、他に使用可能な給紙手段が存在するか否かを判定して、ステップＳ１０２以降の処理を行う。ここで、印刷制御部１１は、所定時間を経過した場合（ステップＳ１１１：ＹＥＳ）、ステップＳ１０２の処理ではなく、ステップＳ１０５またはステップＳ１０７の処理に戻っても良い。
【００３８】
つまり、印刷制御部１１は、印刷の実行中で（ステップＳ１０８）、用紙切れが発生しない場合（ステップＳ１１０：ＮＯ）でも、予め設定しておいた例えば、１秒や、５秒、５分等の任意の所定時間毎に、ステップＳ１０２の処理に戻り、使用可能な給紙手段が存在するか否かを判定して、続くステップＳ１０５〜ステップＳ１０７の判定を行うことにより、その間に現在給紙中の給紙手段よりも給紙速度の速い給紙手段に用紙が補給されて、現在給紙中の給紙手段よりも給紙速度の速い給紙手段が存在することになった場合は、その給紙手段に切り替えて印刷を実行するように制御する。なお、その際、用紙の方向が縦横変わっている場合、印刷制御部１１は、印刷データに対し必要な回転制御を施すようにする。
【００３９】
例えば、最初、給紙ユニット２にユーザが指定したサイズの用紙が収容されておらず、または用紙切れが発生していて、次に速い給紙トレイ３からの給紙で印刷を実行していた際に、ユーザが給紙ユニット２に指定したサイズの用紙を補給した場合には、印刷制御部１１は、給紙トレイ３からの給紙で印刷を実行している場合でも、予め設定しておいた所定時間が来ると、ステップＳ１０７の処理によって最速の給紙ユニット２が選択されて、給紙トレイ３よりも給紙速度が速い給紙ユニット２から給紙を行って印刷を実行できる。同様に、例えば、給紙ユニット２および給紙トレイ３，４でユーザが指定したサイズの用紙が収容されてなく、または用紙切れが発生していて、給紙トレイ５からの給紙で印刷を実行していた際に、給紙トレイ３，４に同時に指定したサイズの用紙を補給した場合には、予め設定しておいた所定時間が来ると、ステップＳ１０７の処理によって給紙ユニット３，４の内、最速の給紙トレイ３が選択されて、給紙トレイ５から給紙トレイ３に切り替わって印刷を実行することになる。
【００４０】
このように、本発明の実施形態１である印刷装置では、印刷制御部１１は、ある給紙手段からの給紙で印刷を実行している場合でも、予め設定しておいた所定時間が来ると、用紙切れが発生する前でも、ユーザが指定したサイズの用紙を収容した給紙手段の中で最も給紙速度の速い給紙手段に切り替えて用紙を給紙させて印刷するように制御する。その結果、印刷停止中だけでなく、印刷中であっても、常に、最も給紙速度の速い給紙手段に切り替わって印刷が継続されるので、印刷終了までの時間を短縮化することができる。
【００４１】
また、本発明の実施形態１のある印刷装置では、印刷制御部１１は、印刷中の所定時間毎だけでなく、用紙切れが発生した場合や、ユーザが指定したサイズの用紙を収容した給紙手段が存在せず、印刷を一時停止している際に指定されたサイズの用紙が給紙手段に補給された場合にも、指定されたサイズの用紙を収容した給紙手段の中で最も給紙速度の速い給紙手段から用紙を給紙させるよう制御するため、用紙切れや印刷の一時停止後において印刷を継続または再開する場合でも、印刷終了までの時間をなるべく短縮化することができる。
【００４２】
（実施形態２）
次に、本発明の実施形態２である印刷装置について説明する。
【００４３】
本発明の実施形態１では、ある給紙手段からの給紙で印刷を実行している場合に、各給紙手段に設けておいた用紙有無検出センサ７および用紙サイズ検出センサ８の検出信号に基づいて、ユーザが指定したサイズの用紙を収容した給紙手段が複数存在するか否かを、５秒や１分等の所定時間毎に判定して、最も給紙速度の速い給紙手段に切り替えて印刷するように制御する印刷装置を例に挙げたが、これに限らない。
【００４４】
本発明の実施形態２では、ある給紙手段からの給紙で印刷を実行している場合に、他の給紙手段で用紙が補給された場合に、再度、使用可能な給紙手段が複数存在するか否かを判定し、使用可能な給紙手段が複数存在する場合に、その中で最速の給紙手段に切り替えて印刷を実行するように制御する印刷装置を例に挙げて説明する。
【００４５】
なお、本発明の実施形態２である印刷装置は、上述した本発明の実施形態１である印刷装置と同一のハードウェア構成を有しており、印刷制御部１１におけるオート印刷処理が異なるだけであるので、図１および図２に示す本発明に実施形態１である印刷装置の構成要素を参照して、本発明の実施形態２のある印刷装置におけるオート印刷処理の特徴部分のみを説明する。
【００４６】
図４は、本発明の実施形態２である印刷装置の給紙手段を自動的に切り替えて印刷を行うオート印刷処理を示すフローチャートである。なお、図４に示したフローチャートのうち、図３に示したフローチャートと同一のステップ番号が付された処理については、説明を省略する。
【００４７】
図４に示すように、印刷制御部１１は、印刷の実行中で（ステップＳ１０８）、印刷が終了するまでは（ステップＳ１０９：ＮＯ）、用紙切れの発生の有無（ステップＳ１１０）と、他の給紙手段における用紙の補給の有無（ステップＳ１２１）とを判定しており、現在給紙中の給紙手段にて用紙切れが発生した場合（ステップＳ１１０；ＹＥＳ）には、ステップＳ１０２に処理を移行し、それ以降の処理を同様に行う一方、他の給紙手段で用紙が補給された場合（ステップＳ１２１：ＹＥＳ）には、使用可能な給紙手段が複数存在するか否かを判定して（ステップＳ１０５）、使用可能な給紙手段が複数存在すれば（ステップＳ１０５：ＹＥＳ）、続くステップＳ１０７の処理により、その中で最速の給紙手段に切り替えて印刷を実行するように制御する。ここで、印刷制御部１１は、他の給紙手段で用紙が補給された場合（ステップＳ１２１：ＹＥＳ）、ステップＳ１０５の処理ではなく、ステップＳ１０７の処理に戻っても良い。
【００４８】
つまり、本発明の実施形態２である印刷装置では、ステップＳ１２１において用紙が補給された給紙手段が、ユーザが指定したサイズの用紙であれば、印刷制御部１１は、ステップＳ１０５にてＹＥＳと判定し、続くステップＳ１０７の処理によりその中で最速の給紙手段に切り替える一方、ステップＳ１２１にて用紙が補給された給紙手段が、ユーザが指定したサイズ以外の用紙であれば、印刷制御部１１は、ステップＳ１０５にてＮＯと判定して続くステップＳ１０６の処理により現在給紙中の給紙手段を選択してそのまま印刷を継続する。
【００４９】
このように、本発明の実施形態２のある印刷装置では、印刷制御部１１は、ある給紙手段からの給紙で印刷を実行している際に、他の給紙手段で用紙が補給された場合には、再度、使用可能な給紙手段が複数存在するか否かを判定して、使用可能な給紙手段が複数存在すれば、その中で最速の給紙手段に切り替えて印刷を実行するように制御するため、所定時間毎に用紙有無検出センサ７および用紙サイズ検出センサ８の検出信号に基づいて最速の給紙手段を判定する等の演算処理の負荷を大きくすることなく、印刷終了までの時間を短縮化することができる。
【００５０】
また、本発明の実施形態２である印刷装置では、印刷中に用紙が補給された場合だけでなく、上述した本発明の実施形態１である印刷装置と同様に、用紙切れが発生した場合や、印刷を一時停止している際に指定されたサイズの用紙が給紙手段に補給された場合にも、指定されたサイズの用紙を収容した給紙手段の中で最も給紙速度の速い給紙手段から用紙を給紙させて印刷するため、用紙切れや印刷の一時停止後において印刷を継続または再開する場合でも、印刷終了までの時間を短縮化することができる。
【００５１】
（実施形態３）
次に、本発明の実施形態３である印刷装置について説明する。
【００５２】
本発明の実施形態３である印刷装置は、本発明の実施形態２である印刷装置と同様に、上述の本発明の実施形態１の印刷装置とハーウェア構成は同一であり、印刷制御部１１におけるオート印刷処理が異なるだけであるので、図１および図２に示す実施形態１の印刷装置の構成要素をそのまま参照して、実施形態３の印刷装置のオート印刷処理における特徴部分のみを説明する。
【００５３】
図５は、本発明の実施形態３である印刷装置の給紙手段を自動的に切り替えて印刷を行うオート印刷処理を示すフローチャートである。
【００５４】
本発明の実施形態３である印刷装置の印刷制御部１１では、上述した本発明の実施形態１，２の印刷装置と同様に、ユーザによって５において給紙手段を自動的に切り替えて印刷を行うオート印刷処理が設定され（ステップＳ１００：ＹＥＳ）、ホストコンピュータ等から印刷データを受信すると（ステップＳ１０１）、まず、ユーザが指定した給紙手段である給紙ユニット２または給紙トレイ３〜５を選択すると共に（ステップＳ２０２）、その給紙手段から用紙を給紙させて、印刷実行部１７に対し印刷開始の制御信号および印刷データを送り、印刷を実行させる（ステップＳ２０３）。つまり、本発明の実施形態３である印刷装置では、ユーザが最初に指定した給紙手段が給紙速度の最も早い給紙手段であるという点を前提として、印刷終了までの時間をなるべく短縮化するものである。なお、給紙手段の給紙速度の速い順は、給紙ユニット２→給紙トレイ３→給紙トレイ４→給紙トレイ５の順であるので、例えば、給紙ユニット２に所望サイズの用紙を収容しておき指定するものとする。
【００５５】
そして、印刷制御部１１は、用紙切れが発生するまで（ステップＳ２０６：ＮＯ）、印刷を実行し（ステップＳ２０３）、その際に、後述するステップＳ２０６の処理において用紙切れを記憶した給紙手段に用紙が補給されたか否かを判定すると共に（ステップＳ２０４）、指定された印刷が終了するか否かを判定する（ステップＳ２０５）。ここで、最初は、まだステップＳ２０７の処理にて用紙切れの給紙手段を記憶していないので、印刷制御部１１は、用紙切れを記憶した給紙手段に用紙が補給されていないと判定する（ステップＳ２０４：ＮＯ）。また、用紙切れになる前に（ステップＳ２０６：ＮＯ）、印刷が終了したと判定すれば（ステップＳ２０５：ＹＥＳ）、印刷処理を終了する。
【００５６】
その一方、印刷が終了する前に（ステップＳ２０６：ＮＯ）、現在給紙中の給紙手段にて用紙切れが発生した場合（ステップＳ２０６：ＹＥＳ）、印刷制御部１１は、この用紙切れが発生した給紙手段、すなわち最初の場合であれば、最初にユーザが指定した給紙手段を記憶する（ステップＳ２０７）。
【００５７】
そして、印刷制御部１１は、現在給紙中の給紙手段にて用紙切れが発生したため、用紙有無検出センサ７および用紙サイズ検出センサ８の検出信号に基づいて、他に使用可能な給紙手段が存在するか否かを判定する（ステップＳ２０８）。
【００５８】
ステップＳ２０８において、他に使用可能な給紙手段が存在すると判定した場合（ＹＥＳの場合）、印刷制御部１１は、用紙有無検出センサ７および用紙サイズ検出センサ８の検出信号に基づいて、続いて当該他に使用可能な給紙手段は、複数存在するのか否かを判定する（ステップＳ２０９）。
【００５９】
ステップＳ２０９において、印刷制御部１１は、使用可能な給紙手段が他に１台あると判定した場合には（ＮＯの場合）、その給紙手段を選択する（ステップＳ２１０）。
【００６０】
一方、ステップＳ２０９において、他に使用可能な給紙手段が複数あると判定した場合（ＹＥＳの場合）、印刷制御部１１は、予め記憶しておいた給紙手段である給紙ユニット２および３台の給紙トレイ３〜５の給紙速度あるいは給紙速度の順位に基づいて、他に使用可能な給紙手段の内で、最も給紙速度が速い給紙手段を選択する（ステップＳ２１１）。具体的には、給紙ユニット２および給紙トレイ３〜５の全てに用紙が収容されていて、最初に給紙ユニット２が指定され、給紙ユニット２の給紙による印刷中に用紙切れが発生した場合には、次に速い給紙トレイ３を選択する。また、給紙ユニット２には用紙が収容されてなく、または用紙が収容されていても故障等していて使用不可で、給紙トレイ３〜５に用紙が収容されていて、最初に給紙トレイ３が指定されていて用紙切れが発生した場合には、次に速い給紙トレイ４が選択されることになる。
【００６１】
そして、印刷制御部１１は、ステップＳ２１０またはステップＳ２１１の処理により他に使用可能な給紙手段を選択して、印刷実行部１７に対し印刷再開の制御信号を送り、印刷を継続実行させ（ステップＳ２０３）、再度、用紙切れが発生するまでの間（ステップＳ２０６：ＮＯ）、印刷を実行し（ステップＳ２０３）、その際に、ステップＳ２０６の処理にて用紙切れを記憶した給紙手段に用紙が補給されたか否かを判定すると共に（ステップＳ２０４）、指定された枚数の印刷が終了するか否かを判定する（ステップＳ２０５）。ここで、今回は、最初に指定した給紙手段にて用紙切れが発生し、他の給紙手段に切り替わって印刷が実行されているため、ステップＳ２０７の処理にて最初に指定した給紙手段を用紙切れが発生したものとして記憶している。また、今回も、印刷が終了する前に（ステップＳ２０５：ＮＯ）、この切り替えた給紙手段にて用紙切れが発生した場合（ステップＳ２０６：ＹＥＳ）、印刷制御部１１は、この用紙切れが発生した給紙手段を記憶して（ステップＳ２０７）、次の処理であるステップＳ２０８以降の処理を同様に行う。そのため、用紙切れが複数回発生した場合には、印刷制御部１１は、用紙切れが発生した複数の給紙手段を記憶することになる。
【００６２】
これに対し、印刷制御部１１は、最初に指定した給紙手段や、他の給紙手段にて用紙切れが発生し、ステップＳ２１０またはステップＳ２１１の処理により他に使用可能な給紙手段を選択して、印刷実行部１７に印刷を継続実行させている際に（ステップＳ２０３）、用紙切れを記憶した給紙手段に用紙が補給されたと判定した場合には（ステップＳ２０４：ＹＥＳ）、印刷中であっても、その用紙切れで記憶され用紙が補給された給紙手段の内、給紙速度が最速の給紙手段に切り替えて（ステップＳ２１４）、印刷実行部１７に対し印刷させる（ステップＳ２０３）。
【００６３】
具体的には、最初に指定した最速の給紙ユニット２にて用紙切れが発生し、印刷制御部１１は、ステップＳ２０７にてこの最速の給紙ユニット２を記憶すると共に、給紙トレイ３にて切り替えて給紙を行って印刷している際に、その記憶しておいた最速の給紙ユニット２に用紙が補給されたと判定した場合には、給紙トレイ３からの給紙で印刷中であっても、ステップＳ２１４の処理により最速の給紙ユニット２に戻して印刷する。また、最初に指定した最速の給紙ユニット２と、次に切り替えた例えば給紙トレイ３にて用紙切れが発生し、印刷制御部１１は、ステップＳ２０７にてこの給紙ユニット２および給紙トレイ３を記憶すると共に、他に使用可能な給紙トレイ４にて切り替えて給紙を行って印刷している際に、その記憶しておいた給紙ユニット２および給紙トレイ３に用紙が補給されたと判定した場合には、給紙トレイ４からの給紙で印刷中であっても、ステップＳ２１４の処理により最速の給紙ユニット２に戻して印刷する。ただし、ここで、給紙ユニット２に用紙が補給されず、給紙トレイ３にのみ用紙が補給された場合には、ステップＳ２１４の処理により用紙が補給された給紙手段の内、最速の給紙トレイ３に戻して印刷することになる。
【００６４】
一方、ステップＳ２０８において、最初に指定した給紙手段や他の給紙手段でも用紙切れが発生して、他に使用可能な給紙手段が存在しないと判定した場合（ＮＯの場合）、印刷制御部１１は、用紙切れの給紙手段に用紙が補給されるまで（ステップＳ２１３：ＮＯ）、印刷を停止する（ステップＳ２１２）。なお、印刷制御部１１は、用紙切れの給紙手段は、ステップＳ２０７の処理で記憶していて、その情報を利用して用紙切れの給紙手段に用紙が補給されたか否かを判定する。
【００６５】
そして、用紙切れの給紙手段に用紙が補給された場合（ステップＳ２１３：ＹＥＳ）、印刷制御部１１は、印刷途中で用紙切れを記憶した給紙手段に用紙が補給されと判定した場合と同様に（ステップＳ２０４：ＹＥＳ）、ステップＳ２０７の処理によって用紙切れで記憶され、用紙が補給された給紙手段の内、給紙速度が最速の給紙手段を選択して給紙させる共に（ステップＳ２１４）、印刷実行部１７に対し印刷再開の制御信号を送り、印刷を再開させる（ステップＳ２０３）。
【００６６】
以上のように、本発明の実施形態３である印刷装置では、ユーザが最初に指定した給紙手段が給紙速度の最も早い給紙手段であるという点を前提とし、印刷制御部１１は、最初に指定した給紙手段や他の給紙手段にて用紙切れが発生した場合、その用紙切れが発生した給紙手段を記憶して、他に使用可能な給紙手段があればそれを選択して印刷を継続実行させる一方、他に使用可能な給紙手段がなければ印刷を一時停止させ、その印刷中または印刷停止中に用紙切れを記憶した給紙手段に用紙が補給されたと判定した場合には、印刷停止中だけでなく、印刷中であっても、用紙切れで記憶され、用紙が補給された給紙手段の内、給紙速度が最速の給紙手段に切り替えて印刷を継続または再開させる。その結果、本発明の実施形態３の印刷装置では、本発明の実施形態１，２の印刷装置と同様に、常に、給紙速度が速い給紙手段に切り替えて印刷が継続または再開されるので、印刷終了までの時間をなるべく短縮化することができる。
【００６７】
特に、本発明の実施形態３である印刷装置では、切り替える給紙手段は、用紙切れで記憶し、用紙が補給された給紙手段の内、給紙速度が最速の給紙手段であるため、給紙手段の台数が増加した場合、全ての給紙手段における用紙の補給状況などを確認する必要がなく、用紙切れで記憶した給紙手段のみ、その用紙有無検出センサ７や用紙サイズ検出センサ８に基づいて用紙の補給状況を確認すれば良くなり、印刷制御部１１の制御負担を軽減することができる。
【００６８】
（実施形態４）
次に、本発明の実施形態４である印刷装置について説明する。
【００６９】
本発明の実施形態１，２である印刷装置では、図３または図４に示すようにステップＳ１０２の処理で使用（給紙）可能な給紙手段が存在した場合（ＹＥＳの場合）、続くステップＳ１０５において給紙ユニット２および３台の給紙トレイ３〜５それぞれの用紙有無検出センサ７および用紙サイズ検出センサ８の検出信号に基づいて、使用可能な給紙手段が複数存在するのか否かを判定し、使用可能な給紙手段が１つのみの場合（ＮＯの場合）、続くステップＳ１０６の処理によってその給紙手段を選択するのに対し、使用可能な給紙手段が複数ある場合（ＹＥＳの場合）、続くステップＳ１０７の処理によって予め記憶しておいた給紙ユニット２および３台の給紙トレイ３〜５の給紙速度あるいは給紙速度の順位に基づいて、使用可能な給紙手段の内で最も給紙速度が速い給紙手段を選択するように説明した。なお、前記実施形態３の印刷装置でも、図５に示すステップＳ２０８の処理でＹＥＳと判定された場合、同様にステップＳ２０９〜Ｓ２１１の処理を行う。
【００７０】
これに対し、本発明の実施形態４である印刷装置では、直線的な給紙経路２ａを介して印刷実行部１７（図２参照）に対し給紙を行う給紙ユニット２に指定された用紙が収容や補給されている場合には、常に給紙ユニット２から給紙を行うことを特徴とする。なお、本発明の実施形態４である印刷装置は、上述した本発明の実施形態１〜３の印刷装置とハーウェア構成は同一であり、印刷制御部１１におけるオート印刷処理が異なるだけであるので、図１および図２に示す本発明の実施形態１である印刷装置の構成要素をそのまま参照して、本発明の実施形態４である印刷装置のオート印刷処理における特徴部分のみを説明する。
【００７１】
図６は、本発明の実施形態４である印刷装置の給紙手段を自動的に切り替えて印刷を行うオート印刷処理を示すフローチャートである。なお、図３に示す実施形態１のフローチャートと同じ処理には、同一ステップ番号を付して説明は省略する。
【００７２】
図６に示す本発明の実施形態４であるのオート印刷処理では、図３に示す本発明の実施形態１である刷装置のオート印刷処理のステップＳ１０５〜Ｓ１０７の処理の代わりにステップＳ１１２〜Ｓ１１６の処理を実行する。
【００７３】
つまり、本発明の実施形態４である印刷装置のオート印刷処理では、ステップＳ１０２の処理の処理において使用（給紙）可能な給紙手段が存在した場合（ＹＥＳの場合）、続くステップＳ１１２の処理により使用可能な給紙手段は直線的な給紙経路２ａを介して給紙を行う第２の給紙手段である給紙ユニット２であるか否かを判定する。
【００７４】
ここで、使用可能な給紙手段が給紙ユニット２である場合（ＹＥＳの場合）、印刷制御部１１は、続くステップＳ１１３の処理により給紙ユニット２を選択して、続くステップＳ１０８の処理により印刷を実行させる。
【００７５】
これに対し、使用可能な給紙手段が給紙ユニット２でない場合（ＮＯの場合）、使用可能な給紙手段は湾曲した給紙経路３ａ〜５ａを介して給紙を行う第１の給紙手段である３台の給紙トレイ３〜５ということになるので、印刷制御部１１は、続くステップＳ１１４の処理により使用可能な給紙トレイ３〜５が複数存在するのか否かを判定する。そして、使用可能な給紙トレイ３〜５が１つのみの場合（ＮＯの場合）、続くステップＳ１１５の処理によってその給紙トレイを選択するのに対し、使用可能な給紙トレイ３〜５が複数ある場合（ＹＥＳの場合）、続くステップＳ１１６の処理によって使用可能な給紙トレイ３〜５の内で最速の給紙トレイを選択して、続くステップＳ１０８の処理により印刷を実行させる。
【００７６】
従って、本発明の実施形態４である印刷装置によれば、湾曲した給紙経路３ａ〜５ａを介して給紙を行う３台の給紙トレイ３〜５からの給紙中であっても、直線的な給紙経路２ａを介して給紙を行う給紙ユニット２に指定されたサイズの用紙が補給された場合、ステップＳ１１１の処理でＹＥＳと判定されてステップＳ１０２の処理に戻った際に、給紙ユニット２からの給紙に切り替って印刷することになる。
【００７７】
その結果、給紙トレイ３〜５では給紙経路３ａ〜５ａが湾曲しているため、給紙速度を上げると用紙の搬送中に用紙のジャムの発生率が高くなるが、給紙ユニット２では給紙経路２ａが直線的であるため、給紙速度を高速化することができると共に、給紙速度を高速化しても給紙中の用紙ジャムの発生率を抑えることができ、印刷全体のスピードアップを図ることができる。
【００７８】
なお、本発明の実施形態４である印刷装置の説明では、図３に示した本発明の実施形態１である印刷装置のオート印刷処理のステップＳ１０５〜Ｓ１０７の処理の代わりにステップＳ１１２〜Ｓ１１６の処理を実行するように説明したが、本発明では、これに限らず、例えば、図４に示す本発明の実施形態２である印刷装置のオート印刷処理のステップＳ１０５〜Ｓ１０７の処理の代わりにステップＳ１１２〜Ｓ１１６の処理を実行するようにしても良いし、さらには図５に示す本発明の実施形態３である印刷装置のオート印刷処理のステップＳ２０９〜Ｓ２１１の処理の代わりにステップＳ１１２〜Ｓ１１６の処理を実行するようにしても良い。
【符号の説明】
【００７９】
１…印刷装置本体
２…給紙ユニット（第２の給紙手段）
３〜５…給紙トレイ（第１の給紙手段）
６…排紙台
７…用紙有無検出センサ
８…用紙サイズ検出センサ
１０…メイン制御部
１１…印刷制御部
１２…駆動制御部
１３  印刷データ格納部
１４…操作受付部
１５…表示部
１６…通信処理部
１７…印刷実行部
１８…搬送駆動部
【図１】
2014129152.tif 000003
【図２】
2014129152.tif 000004
【図３】
2014129152.tif 000005
【図４】
2014129152.tif 000006
【図５】
2014129152.tif 000007
【図６】
2014129152.tif 000008